(57)【要約】      （修正有）【課題】一対の衝接片部が開いた状態を維持することができ、必要に応じて演奏中に他の楽器に迅速に持ち替えて演奏することができると共に、衝接片部の幅方向におけるズレが発生しないようにするカスタネット補助具を提供する。【解決手段】一対の衝接片部１１と、衝接片部の後端部において衝接片部を厚さ方向に貫通して止め合わせた紐部１２とを備え、衝接片部の後端部は、幅方向中央部に形成され、衝接片部の内方へ向かって形成された凹部１８と、凹部の両端部において外方へ突出して形成された膨出部１９とを有するカスタネットに装着される補助具であって、凹部に係合する本体部２０と、本体部の両側に一対に連設され、膨出部に当接する当接部２１と、本体部の後部に設けられ紐部が締結される係止部２２とを有する。【選択図】図１
0003228387.tif 000002
【実用新案登録請求の範囲】
【請求項１】
一対の衝接片部と、前記一対の衝接片部の後端部において前記一対の衝接片部を厚さ方向に貫通して止め合わせた紐部とを備え、前記衝接片部の後端部は、幅方向中央部に形成され、前記衝接片部の内方へ向かって形成された凹部と、前記凹部の両端部において外方へ突出して形成された膨出部とを有するカスタネットに装着され、
前記凹部に係合する本体部と、前記本体部の両側に一対に連設され、前記膨出部に当接する当接部と、前記本体部の後部に設けられ前記紐部が締結される係止部とを有することを特徴とするカスタネット補助具。
【請求項２】
高さ寸法は前記一対の衝接片部の厚さ寸法よりも大きく形成され、前記本体部は、前記凹部と当接する周面部からなる膨出部を前部に有すると共に、前記当接部は前記本体部よりも後退して設けられると共に後方へ突出する膨出部を有することを特徴とする請求項１記載のカスタネット補助具。
【請求項３】
前記係止部は、全体略短円筒状であって、軸部と、前記軸部の後端部に形成された拡開部とを有し、前記軸部及び前記膨出部により前記係止部が形成されることを特徴とする請求項１記載のカスタネット補助具。
【請求項４】
前記係止部の拡開部には孔部が形成され、前記孔部に挿入固定されることにより使用者が把持する棒状部が着脱可能に設けられていることを特徴とする請求項１記載のカスタネット補助具。
【考案の詳細な説明】
【技術分野】
【０００１】
本考案は、カスタネット補助具に関する。
【背景技術】
【０００２】
一般に、フラメンコの舞踊を行う場合や、その他クラシック音楽等の楽曲演奏の際に、カスタネットが用いられる。
このようなカスタネットは、平面略円形状の一対の衝接片部と、前記一対の衝接片部の後端部において外方へ突設して形成された基部において、前記一対の衝接片部を厚さ方向に貫通して止め合わせた紐部とを備えている。
【０００３】
上記基部は、厚さ方向断面形状は、後端縁部に至るにしたがって厚さ寸法が薄くなるようにテーパ状に形成され、基部の内側面部に形成された当接軸部を中心として、衝接片部を相互に厚さ方向に開閉でき、使用者は２枚の衝接縁部の後端縁部を指先で把持して衝接片部を離間させたり、指の把持力を開放して衝接片部を衝接片部を相互に衝接させることにより音を出すように構成されている。
【０００４】
一般に、カスタネットはフラメンコ舞踊やオーケストラで使用される場合には、親指又は他の指に紐部で、一対の衝接片部が開いた状態でしっかりと固定し、他の指で衝接片部をたたいて演奏する。
ところで、オーケストラで使用される場合には、楽曲の演奏の際に、演奏者はカスタネットのみならず他の打楽器、例えば、トライアングル等に持ち替えて演奏を行う場合がある。
このような場合、楽曲の演奏に応じて、紐部による指への固定を解除して、迅速に他の楽器の演奏を行う必要があるが、その都度、紐部による指への固定を行うことは非常に煩雑であると共に、演奏中に必要に応じて他の楽器からカスタネットへ持ち替える際に、一対の衝接片部が開いた状態を形成して指に紐部を巻き付ける作業が、演奏において時間的に間に合わない場合もある。
【０００５】
また、カスタネットを親指に紐部により固定して演奏していた場合であっても、振動により次第にひもが緩み、一対の衝接片部の位置が幅方向においてずれ、一対の衝接片部が互いに衝接した場合でも本来の音が発生しない場合もある。
従って、従来より、一対の衝接片部が開いた状態を維持することができ、必要に応じて演奏中に他の楽器に迅速に持ち替えて演奏することができると共に、衝接片部の幅方向におけるズレが発生しないようにする補助具が要望されていた。
しかしながら、未だ、上記の要請に応えられる技術は提案されていない。
【先行技術文献】
【特許文献】
【０００６】
【特許文献１】特開２０１０−１４５９８２号公報
【特許文献２】実開平６−６４２９０号公報
【考案の概要】
【考案が解決しようとする課題】
【０００７】
本考案は、このような問題点に鑑みなされたものであり、その課題は、一対の衝接片部が開いた状態を維持することができ、必要に応じて演奏中に他の楽器に迅速に持ち替えて演奏することができると共に、衝接片部の幅方向におけるズレが発生しないようにする補助具を提供することにある。
【課題を解決するための手段】
【０００８】
上記課題を解決するために、下記のような構成を採用した。
請求項１に記載の考案は、一対の衝接片部と、前記一対の衝接片部の後端部において前記一対の衝接片部を厚さ方向に貫通して止め合わせた紐部とを備え、前記衝接片部の後端部は、幅方向中央部に形成され、前記衝接片部の内方へ向かって形成された凹部と、前記凹部の両端部において外方へ突出して形成された膨出部とを有するカスタネットに装着され、前記凹部に係合する本体部と、前記本体部の両側に一対に連設され、前記膨出部に当接する当接部と、前記本体部の後部に設けられ前記紐部が締結される係止部とを有することを特徴とするカスタネット補助具である。
【０００９】
従って、請求項１記載の考案は、カスタネットの衝接片部の凹部には本体部が当接すると共に、凹部の両端部に連設された膨出部には当接部に当接し、紐部は係止部に係止される。
【００１０】
請求項２記載の考案は、高さ寸法は前記一対の衝接片部の厚さ寸法よりも大きく形成され、前記本体部は、前記凹部と当接する周面部からなる膨出部を前部に有すると共に、前記当接部は前記本体部よりも後退して設けられると共に後方へ突出する膨出部を有することを特徴とする請求項１記載のカスタネット補助具である。
従って、当接部は本体部の後方へ突出して配置される。
【００１１】
請求項３記載の考案にあっては、前記係止部は、全体略短円筒状であって、軸部と、前記軸部の後端部に形成された拡開部とを有し、前記軸部及び前記膨出部により前記係止部が形成されることを特徴とする請求項１記載のカスタネット補助具である。
従って、前記紐部は係止部に固定される。
【００１２】
請求項４記載の考案にあっては、前記係止部の拡開部には孔部が形成され、前記孔部に挿入固定されることにより使用者が把持する棒状部が着脱可能に設けられていることを特徴とする請求項１記載のカスタネット補助具である。従って、棒状部が設けられたカスタネット補助具を使用することができる。
【考案の効果】
【００１３】
請求項１〜３に記載の考案にあっては、本考案にかかる補助具をカスタネットに装着することにより、一対の衝接片部が互いに厚さ方向に離間するように紐部でカスタネット後方へ引っ張った状態で係止部に締結することにより、衝接片部の厚さ方向における開放状態を維持することができる。
その結果、オーケストラやバンド等で楽曲の演奏に用いられ、同一の演奏者が、楽曲演奏の途中でカスタネットから他の打楽器等に持ち替えて演奏を行う場合であっても、従来のように、その都度、紐部の指への巻き付けを解放してカスタネットを指から取り外すと共に、一対の衝接片部が開いた状態となるように指に紐部を巻き付ける作業を行う必要がなく、演奏に際して迅速に楽器の持ち替えに対応することができる。
【００１４】
また、カスタネットの衝接片部の凹部には本体部が当接すると共に、凹部の両端部に連設された膨出部には当接部に当接し、紐部は係止部に係止されることから、カスタネットの衝接片部の後端部を規制することが可能となる。
その結果、演奏中の振動によっても衝接片部の幅方向におけるズレを防止できるようにすることが可能となり、衝接片部のズレを修正しつつ演奏することの煩雑さを回避でき、演奏者に快適な演奏を可能とする。
【００１５】
請求項４記載の考案にあっては、常時、一対の衝接片部が開いた状態を維持することができ、かつ使用者が把持できる棒状部を有するカスタネットを提供することができる。
【図面の簡単な説明】
【００１６】
【図１】本考案の一実施形態に係るカスタネット補助具をカスタネットに装着した状態を示す斜視図である。
【図２】本考案の一実施形態に係るカスタネット補助具を示す側面図である。
【図３】本考案の一実施形態に係るカスタネット補助具を示す平面図である。
【図４】本考案の第二の実施形態に係るカスタネット補助具の構成部材及び組み立てる状態を示す平面図である。
【図５】本考案の第二実施の形態に係るカスタネット補助具の構成部材を組み立てた状態を示す平面図である。
【図６】本考案の第二実施の形態に係るカスタネット補助具をカスタネットに装着した状態を示す平面図である。
【考案を実施するための形態】
【００１７】
以下に図面を参照して、本考案を実施するために好適な実施の形態を例示的に詳しく説明する。ただし、本実施の形態に記載されている構成部品の寸法、材質、形状、その相対配置などは、特に特定的な記載がない限りは、本考案の範囲をそれらのみに限定されない。
【００１８】
図１及び図２に示すように、一般に、カスタネット１０は、一対の衝接片部１１、１１と、前記一対の衝接片部１１、１１の後端部において前記一対の衝接片部を厚さ方向に貫通して止め合わせた紐部１２とを備えている。
衝接片部１１は、平面円形状の衝接片部本体１３と、衝接片部本体１３の後端部に延設された基部１４とを有している。図２に示すように、基部１４の内側面部の後端部には厚さ方向においてテーパ部１５が形成されており、テーパ部１５の裏面部に形成された前端部１６を支点としてテーパ部１５の後端を厚さ方向に押圧した場合には、衝接片部本体１３の前端部側が相互に離間した状態で衝接片部１１、１１が相互に開くように構成されている。
【００１９】
図１に示すように、基部１４の前端部１６と後端縁との間には、紐挿通孔部１７、１７が幅方向に沿って２個開設されている。基部１４の後端縁には、平面視において、幅方向中央に形成された凹部１８と、凹部１８をはさんで一対に形成された膨出部１９、１９が設けられている。
【００２０】
そして、本実施の形態にあっては、カスタネット１０にはカスタネット補助具２３が装着されている。カスタネット補助具２３は、凹部１８に係合する本体部２０と、本体部２０の両側に一対に連設され、膨出部１９に当接する当接部２１、２１と、本体部２０の後部に設けられ紐部１２が締結される係止部２２とを有している。
【００２１】
本実施の形態に係るカスタネット補助具２３の長さ寸法Ｌは、カスタネット１０の膨出部１９、１９の間の幅寸法と略同一に形成されていると共に、高さ寸法Ｌ１は前記一対の衝接片部の厚さ寸法よりも大きく形成されている。
【００２２】
本体部２０は、凹部１８と当接する周面部からなる膨出部２４を前部に有すると共に、当接部２１、２１は本体部２０よりも後退して設けられている。また、後方へ突出する膨出部２５、２５を有している。
本体部２０の上面部及び下面部には、当接部２１との境界領域に、平面縦長紡錘形上であって後部方向へ開口する一対の溝部３０、３０が所定間隔を置いて形成されている。この溝部３０、３０は紐部１２を掛けまわす際の紐部１２の固定用ガイドとして使用される。
【００２３】
係止部２２は、全体略短円筒状であって、軸部２６と、軸部の後端部に形成された拡開部２７とを有しており、軸部２６及び拡開部２７とにより係止部２２が形成されている。
本体部２０の背面部には、使用者が把持する棒状部２９が着脱可能に螺合固定される孔部２８が形成されている。
【００２４】
本実施の形態に係るカスタネット補助具２３を使用する場合には、図１乃至図３に示すように、カスタネット補助具２３の本体部２０をカスタネット１０の凹部１８へ当接させると共に、当接部２１、２１をそれぞれ、カスタネット１０の膨出部１９、１９に当接させ、紐部１２を係止部２２の軸部２６に掛けまわした状態で締結する。
これによりカスタネット補助具２３はカスタネット１０の後端部に圧接する状態でカスタネット１０に装着される。
【００２５】
この場合、紐部１２を強く締結した場合には、図２に示すように、衝接片部１１、１１が離間し拡開する状態となることから、この状態で演奏者はカスタネットを指に紐部により巻き付け固定しなくとも演奏に使用することが可能となる。
従って、演奏曲目に応じて、適宜、演奏中に他の楽器に持ち変える必要がある場合には、従来のように、その都度、指に巻きつけ固定した紐部をほどいたり、また、巻き付け固定する必要がないことから、迅速かつ容易にカスタネットから他の楽器への変更、または他の楽器からカスタネットへの変更を行うことが可能となる。
【００２６】
図３乃至図５は本考案に係るカスタネット補助具の第二実施の形態を示す。
本実施の形態に係るカスタネット補助具３１にあっては、上述のように、演奏者にとって補助グリップとなる棒状部２９がカスタネット補助具２３の本体部２０の背面部に開設された孔部２８に螺合固定されている。
【００２７】
即ち、孔部２８内部にはメス螺子溝が刻設されていると共に、棒状部２９の一端部には軸方向に沿って当該メス螺子溝に螺合するオス螺子が設けられた凸部３２が突設されている。本実施の形態にあっては、棒状部２９は細長円筒状に形成され、棒状部２９の径寸法は係止部２２の拡開部２７の径寸法と同一に形成されている。
【００２８】
従って、第二実施の形態に係るカスタネット補助具３１を使用する場合には、図３及び図４に示すように、カスタネット１０に装着されたカスタネット補助具２３に棒状部２９を、凸部３２を孔部２８内に挿入して螺合させ、棒状部２９を本体部２０に接続する。
【００２９】
そして、図５に示すように、このようにして構成したカスタネット補助具３１を、前記実施の形態に係るカスタネット補助具２３と同様の要領で、紐部１２によりカスタネット１０の後端部に固定する。
従って、第二実施の形態に係るカスタネット補助具３１を使用した場合には、演奏者は棒状部２９を補助グリップとして使用し、棒状部２９を手で把持した状態で演奏することもできる。その結果、演奏者は、棒状部２９を把持した状態で、より演奏を簡便にし、より高度な技術で演奏することが可能となる。
【００３０】
なお、カスタネット補助具２３及び３１の具体的構成、形状に関しては上記実施の形態に限定されず、適宜変更が可能である。
【産業上の利用可能性】
【００３１】
本考案は、カスタネット補助具に関するものであり、広く産業上の可能性を有している。
【符号の説明】
【００３２】
１０  カスタネット
１１  衝接片部
１２  紐部
１３  衝接片部本体
１４  基部
１５  テーパ部
１６  前端部
１７  紐挿通孔部
１８  凹部
１９  膨出部
２０  本体部
２１  当接部
２２  係止部
２３  カスタネット補助具
２４  膨出部
２５  膨出部
２６  軸部
２７  拡開部
２８  孔部
２９  棒状部
３０  溝部
３１  カスタネット補助具
３２  凸部
Ｌ    カスタネット補助具の長さ寸法
Ｌ１  カスタネット補助具の高さ寸法
【図１】
0003228387.tif 000003
【図２】
0003228387.tif 000004
【図３】
0003228387.tif 000005
【図４】
0003228387.tif 000006
【図５】
0003228387.tif 000007
【図６】
0003228387.tif 000008